(57)【要約】  【課題】  一人で練習する時でも、床に落ちた球体を人自身が回収する必要もなく、簡単な構成で設備コストの掛からない球体自動回収装置を提供し、さらに、長時間に渡って打ち返し練習が可能となる卓球練習機を提供することである。【解決手段】  ブロワー２を介してボックス内を吸気する吸気管３と、床面付近に開口部４１を備え球体Ｂを吸引する球体吸い込みパイプ４と、前記ボックス内に貯留された球体Ｂを排出する球体排出口１７とを備え、該球体排出口１７の外側に閉鎖扉１５を自重で垂下するように吊下げて、吊下げ状態の前記閉鎖扉１５を吸引して前記球体排出口を閉鎖する構成の球体貯留ボックス１を備える球体自動回収装置Ａ１と、前記球体自動回収装置が回収して貯留した球体（ピンポン玉）を自動的に発射する球体発射装置６を備える卓球練習機とした。【選択図】    図１
2006102223.tif 000002
【特許請求の範囲】
【請求項１】
床に落下した球体を吸引して貯留する球体貯留ボックスを備える球体自動回収装置であって、
前記球体貯留ボックスが、ブロワー等の吸引部材を介して前記ボックス内を吸気する吸気管と、床面付近に開口部を備え球体を吸引する球体吸い込みパイプと、前記ボックス内に貯留された球体を排出する球体排出口とを有すると共に、
前記球体排出口の外側に閉鎖扉を、前記球体排出口の上部に取り付けられる蝶番部材により吊下げ構成とし、前記吸引部材が停止した状態では、その自重により垂下して前記球体排出口を開放し、前記吸引部材が吸引を開始すると、前記球体貯留ボックス内が負圧となり、吊下げ状態の前記閉鎖扉を吸引して前記球体排出口を閉鎖する構成としていることを特徴とする球体自動回収装置。
【請求項２】
前記球体貯留ボックスの上部に前記吸気管と前記球体吸い込みパイプを配設し、前記球体排出口を前記球体貯留ボックスの最下部に設け、前記球体排出口が設けられる面を、その上部が手前側に倒れ込むように傾斜する傾斜面とし、前記ボックスの底面部を前記球体排出口に向かって低下するように傾斜させたことを特徴とする請求項１に記載の球体自動回収装置。
【請求項３】
前記傾斜面の傾き及び前記閉鎖扉の大きさと重さは、前記閉鎖扉が自重で垂下した状態で前記球体排出口から離反した時に、球体が挿通可能な程度の開口部を形成するような傾斜面の傾きと閉鎖扉の大きさであると共に、前記吸引部材が吸引を開始した時に生じる負圧により吸引されて、前記球体排出口を閉鎖する程度の傾斜面の傾きと閉鎖扉の大きさと重さであることを特徴とする請求項１または２に記載の球体自動回収装置。
【請求項４】
前記請求項１から３のいずれかに記載の球体自動回収装置を備えると共に、前記球体がピンポン玉であって、床に落下したピンポン玉が転がる傾斜床面と、転がってきたピンポン玉を集合させる集合部を備えると共に、該集合部に前記球体吸い込みパイプの開口部を配設していることを特徴とする卓球練習機。
【請求項５】
前記球体貯留ボックスの前記球体排出口の下部に、球体発射装置を配設していることを特徴とする請求項４に記載の卓球練習機。
【発明の詳細な説明】
【技術分野】
【０００１】
本発明は、一人でも練習可能となる球体自動回収装置および卓球練習機に関する。
【背景技術】
【０００２】
従来、一人で卓球の練習をする時には、壁際に卓球台の半分程度の大きさの台を設置して、壁に向かってピンポン玉を打ち付ける練習方法が一般に採用されている。また、ピンポン玉の発射装置を使用して、強度を種々に変更して打ち出されるピンポン玉を打ち返す練習方法も採用されている。
【０００３】
また、一人で練習でき、ピンポン玉の回収の手間が省け、ピンポン玉の変化球サーブが可能な、ピンポン玉供給コンベアを備えるピンポン玉発射装置も既に出願されている（例えば、特許文献１参照）。
【特許文献１】特開平９−１２２２８６号公報（第１−６頁、第１０図）
【発明の開示】
【発明が解決しようとする課題】
【０００４】
上記の壁に向かって球体を打ち付ける練習や単に球体の発射装置を使用した練習では、一旦床に落ちた球体は後で人が拾って回収する必要がある。また、球体供給コンベアを備える発射装置では、装置が大掛かりになると共に、余分な駆動モータが必要となり設備コストが高くなる。
【０００５】
本発明の目的は、一人で練習する時でも、床に落ちたピンポン玉やボール等の球体を人自身が回収する必要もなく、簡単な構成で設備コストの掛からない球体自動回収装置を提供し、さらに、長時間に渡って打ち返し練習が可能となる卓球練習機を提供することである。
【課題を解決するための手段】
【０００６】
上記の目的を達成するために請求項１に係る発明は、床に落下した球体を吸引して貯留する球体貯留ボックスを備える球体自動回収装置であって、前記球体貯留ボックスが、ブロワー等の吸引部材を介して前記ボックス内を吸気する吸気管と、床面付近に開口部を備え球体を吸引する球体吸い込みパイプと、前記ボックス内に貯留された球体を排出する球体排出口とを有すると共に、前記球体排出口の外側に閉鎖扉を、前記球体排出口の上部に取り付けられる蝶番部材により吊下げ構成とし、前記吸引部材が停止した状態では、その自重により垂下して前記球体排出口を開放し、前記吸引部材が吸引を開始すると、前記球体貯留ボックス内が負圧となり、吊下げ状態の前記閉鎖扉を吸引して前記球体排出口を閉鎖する構成としていることを特徴としている。
【０００７】
上記の構成を有する請求項１に係る発明によれば、吸引部材を駆動すると、吊下げ状態の閉鎖扉が球体排出口を閉鎖するので、球体貯留ボックスの負圧が高まり、球体吸い込みパイプの吸引力が増加して、床に落下したピンポン玉やボール等の球体を自動的に吸引して貯留することができる。また、閉鎖扉を開閉する駆動力を別個に設ける必要もなく、ただ、球体を回収するための吸引部材の吸引力を利用して簡単に開閉操作することができる。
【０００８】
請求項２に係る発明は、前記球体貯留ボックスの上部に前記吸気管と前記球体吸い込みパイプを配設し、前記球体排出口を前記球体貯留ボックスの最下部に設け、前記球体排出口が設けられる面を、その上部が手前側に倒れ込むように傾斜する傾斜面とし、前記ボッ
クスの底面部を前記球体排出口に向かって低下するように傾斜させたことを特徴としている。
【０００９】
上記の構成を有する請求項２に係る発明によれば、球体排出口に吊下げるように設けた閉鎖扉を開放すると、球体貯留ボックスに貯留した球体を確実に排出することができる。
【００１０】
請求項３に係る発明は、前記傾斜面の傾き及び前記閉鎖扉の大きさと重さは、前記閉鎖扉が自重で垂下した状態で前記球体排出口から離反した時に、球体が挿通可能な程度の開口部を形成するような傾斜面の傾きと閉鎖扉の大きさであると共に、前記吸引部材が吸引を開始した時に生じる負圧により吸引されて、前記球体排出口を閉鎖する程度の傾斜面の傾きと閉鎖扉の大きさと重さであることを特徴としている。
【００１１】
上記の構成を有する請求項３に係る発明によれば、ブロワー等の吸引部材を停止するだけで、球体が挿通可能な程度にまで球体排出口を開放し、球体貯留ボックスに貯留されている球体を自動的に排出することができる。
【００１２】
請求項４に係る発明は、前記請求項１から３のいずれかに記載の球体自動回収装置を備えると共に、前記球体がピンポン玉であって、床に落下したピンポン玉が転がる傾斜床面と、転がってきたピンポン玉を集合させる集合部を備えると共に、該集合部に前記球体吸い込みパイプの開口部を配設している卓球練習機としたことを特徴としている。
【００１３】
上記の構成を有する請求項４に係る発明によれば、床に落下したピンポン玉を自動的に回収するので、人はピンポン玉を打ち込む練習に専念することができる。
【００１４】
請求項５に係る発明は、前記球体貯留ボックスの前記球体排出口の下部に、球体発射装置を配設していることを特徴としている。
【００１５】
上記の構成を有する請求項５に係る発明によれば、さらに、自動的にピンポン玉を発射する装置を備えているので、長時間に渡って打ち返し練習が可能となる。
【発明の効果】
【００１６】
本発明によれば、簡単な構成で設備コストの掛からない球体自動回収装置を得ることができ、さらに、長時間に渡って打ち返し練習が可能となる卓球練習機を得ることができる。
【発明を実施するための最良の形態】
【００１７】
以下、本発明に係る球体自動回収装置および卓球練習機の実施の形態を、図１から図４に基づいて詳細に説明する。
【００１８】
図１は本発明に係る球体自動回収装置および卓球練習機の全体配置を示す概略説明図である。図２には本発明に係る球体貯留ボックスを示しており、（ａ）は吸い込み開始時に閉鎖扉が開状態から閉状態となるところを示す概略説明図であり、（ｂ）は吸引が維持され回収が続行されているところを示す概略説明図であり、（ｃ）はブロワーが停止されて閉鎖扉が開放されたところを示す概略説明図である。図３は閉鎖扉を備える球体排出口の拡大説明図である。図４は閉鎖扉が設けられる球体貯留ボックスの概略正面図である。
【００１９】
本発明に係る球体自動回収装置Ａ１は図１に示すように、傾斜した床面２０や傾斜溝２１を介して集められるピンポン玉やボール等の球体Ｂを自動的に球体貯留ボックス１に回収する装置である。
【００２０】
傾斜溝２１を転がってくる球体Ｂは集合部２２に集められる。そのために、前記集合部２２は前記傾斜溝２１よりも一段低い位置に設けられている。
【００２１】
また、前記集合部２２に球体吸い込みパイプ４の開口部４１が設けられていて、集合部２２に集まる球体Ｂを、球体Ｂの径よりも大きな内径の球体吸い込みパイプ４が吸引する構成としている。
【００２２】
球体Ｂを吸引する吸引力は吸引部材により得ることができる。本実施の形態においては吸引部材としてブロワー２を採用したが、特にこれに限定されるものではない。
【００２３】
前記球体貯留ボックス１に、ブロワー２介して前記ボックス内を吸気する吸気管３と、床面付近に開口部４１を備え球体を吸引する球体吸い込みパイプ４とを接続している。つまり、ブロワー２による吸引力が、吸気管３と球体貯留ボックス１と球体吸い込みパイプ４を介して、前記開口部４１まで作用する構成としている。
【００２４】
次に、球体貯留ボックス１について図２および図３により詳細に説明する。
【００２５】
図２（ａ）に示すように、前記球体貯留ボックス１は、傾斜した底面部１１と傾斜した立設側面である傾斜面１０、１２とを備えており、下部が奥側に、上部が手前側に傾斜した正面側の傾斜面１０の最下部に前記球体排出口１７を配設すると共に、該排出口１７の外側に前記閉鎖扉１５を吊下げるように設けている。
【００２６】
前記傾斜面１０の反対側の後部傾斜面１２の上部に吸気管３が接続されており、吸気口３０を形成している。また上板１３に球体吸い込みパイプ４が接続されており、球体吸い込み口４０が形成されている。つまり、前記ボックスの上部にブロワー２に接続される吸気管３と球体吸い込みパイプ４を配設している。
【００２７】
前記閉鎖扉１５は、前記球体排出口１７の上部に取り付けられる蝶番部材１６に吊下げられた構成であり、前記ブロワー２が停止した状態ではその自重により垂下し前記球体排出口１７を開放し、前記ブロワー２が吸引を開始すると、前記球体貯留ボックス１内が負圧となって吊下げ状態の前記閉鎖扉１５を吸引して前記球体排出口１７を閉鎖する構成である。
【００２８】
つまり、図２（ａ）に示すように、閉鎖扉１５が自重により垂下した状態で、ブロワー２を駆動開始すると、球体貯留ボックス１内の空気が図中の矢印Ｙ１方向に吸引されてボックス内が徐々に負圧となっていく。そうすると、その負圧により前記閉鎖扉１５が図中の矢印Ｙ３方向に移動するような吸引力が作用する。
【００２９】
前記閉鎖扉１５の重さを前記吸引力により移動可能な程度としておくと、前記閉鎖扉１５を球体排出口１７に密着して前記排出口を閉鎖することができる。
【００３０】
上記のように、閉鎖扉１５が球体排出口１７を閉鎖すると、球体吸い込み口４０から空気を吸引する吸引力が強くなり、図中の矢印Ｙ２方向の強力な吸引力が作用するようになる。
【００３１】
そのために、図２（ｂ）に示すように、球体吸い込みパイプ４を介して球体Ｂを吸引回収することになる。この時に、吸引される球体Ｂを吸気管３０が吸引しないように、吸気管３の吸気口３０に網部材３１を装着している。また、この網部材３１を半球状に突出した形状として、球体Ｂが付着し難いようにすると、ブロワー２による吸引力が強い場合でも、貯留される球体Ｂが吸気口３０に付着して吸引力を減少することがなく好適である。
【００３２】
さらに、前記吸気口３０を上部が手前側に傾斜した後部傾斜面１２の上部に設けているので、吸引される球体Ｂが付着せずに、すぐに落下するので、さらに好ましい構成といえる。
【００３３】
図２（ｃ）には、ブロワー２が停止されて閉鎖扉１５が開放されたところを示しているが、ブロワー２が停止されると、ボックス内の負圧が解消されるので、閉鎖扉１５がその自重により、蝶番部材１６から真下に垂下して、球体排出口１７を開放する。
【００３４】
つまり、球体貯留ボックス１内に貯留されている球体Ｂが、前記球体排出口１７から下側に配置される受け箱５に落下する構成である。この時に、ボックス内に底面部１１よりさらに傾斜の大きい傾斜底面１４を設ける構成とすると、貯留している球体をさらに確実に排出することができ好適である。
【００３５】
上記のような構成を達成するには、前記傾斜面１０の傾き及び前記閉鎖扉１５の大きさと重さは、前記閉鎖扉１５が自重で垂下した状態で前記球体排出口１７から離反した時に、その離反距離が大き過ぎず、丁度球体Ｂが挿通可能な程度の開口部を形成するような傾斜面の傾きと閉鎖扉の大きさであると共に、前記ブロワー２が吸引を開始した時に生じる負圧により吸引されて、前記球体排出口１７を閉鎖する程度の傾斜面の傾きと閉鎖扉の大きさと重さとすることが肝要である。
【００３６】
上記の構成であれば、図３に示すように、閉鎖扉１５が蝶番部材１６から真下に垂下した時に、閉鎖扉１５の先端部１５ａと傾斜面１０の開口端部１０ａとの開口大きさＨが球体Ｂの直径ｄよりも大きくなって、球体Ｂが自由に落下することになる。
【００３７】
さらに、下部が奥側に、上部が手前側に傾斜した状態の傾斜面１０の最下部に前記球体排出口１７を配設して、前記球体貯留ボックス１の底面部を前記球体排出口１７に向かって低下するように傾斜させているので、前記球体貯留ボックス１に貯留されている球体Ｂを残らず確実に排出することができる。
【００３８】
図４に示すように、閉鎖扉１５は球体貯留ボックス１の最下部に蝶番部材１６により吊下げ構成されており、前記ボックス１の全幅を開閉するように設けられている。また、前記ボックス１の全幅と同等な幅をした受け箱５を配置し、さらに、その下に球体発射装置６を設けた構成としている。
【００３９】
そのために、ブロワー２と吸気管３を介して球体貯留ボックス１内に負圧を生じさせ、該負圧により、球体吸い込みパイプ４を介して球体貯留ボックス１内に貯留される球体Ｂを全て確実に受け箱５に落下させることができる。また、落下して前記受け箱５に収容される球体Ｂを、球体発射装置６が取り込んで順次打ち出す構成としている。
【００４０】
それ故に、図１に示すように、本発明に係る球体自動回収装置Ａ１と第一卓球台８とネットＮと第二卓球台９とを備える卓球練習台Ａ２とを組み合わせた卓球練習機とすると、一人で練習可能な卓球練習機を構成することができる。
【００４１】
また、前記受け箱５の下部に球体発射装置６を設ける構成としているので、前記受け箱５に落下して貯留される球体Ｂ（ピンポン玉）を自動的に打ち出すことができ、連続した打ち込み練習を行うことができる。
【００４２】
この構成の卓球練習機であれば、床に落ちたピンポン玉を人自身が回収する必要もなく、長時間に渡って打ち返し練習が可能となる。
【００４３】
もちろん、前記球体発射装置６を、変化球の種類や打ち出し速さを予め設定可能なタイプとしておれば、種々のタイプの練習が可能であり、一人でも効率よく効果的な練習を行うことができる。
【００４４】
この時に、卓球台を設置する床面を全体的に傾斜した床面２０としてもよい。また一部の床面に、大きく傾斜した傾斜溝２１を設けて、球体吸い込みパイプ４の開口部４１が配設される集合部２２に球体（ピンポン玉）を集めるような構成とすればよい。
【００４５】
上記のような構成としておれば、床に落下するピンポン玉は、傾斜した床面２０や傾斜溝２１を転がって集合部２２に集まり、集合部２２に集まったピンポン玉を、球体自動回収装置Ａ１が自動回収し、別に設ける球体発射装置６を所定のタイミングで操作することで、一人でも打ち返し練習を行うことことができる。
【００４６】
上記したように、本発明に係る球体自動回収装置は、ブロワー等の吸引部材のオン・オフ制御のみでピンポン玉やボール等の球体の回収と排出を行うことができるので、簡単な構成で設備コストの掛からない球体自動回収装置とすることができる。
【００４７】
また、球体が軽い場合には吸引力の弱い吸引部材を用い、球体が重い場合には、その球体を吸引可能となる容量の吸引部材を用いることで、球体Ｂの重さに拘らずに回収と排出が可能な球体自動回収装置とすることができる。
【００４８】
特にピンポン玉は軽い球体であるので、弱い吸引力の吸引部材であっても、容易に吸引貯留することができ好適である。
【００４９】
そのために、本発明に係る球体自動回収装置と卓球練習台とを組み合わせて、さらに、回収して貯留したピンポン玉を自動的に発射する球体発射装置６を備える卓球練習機とすると、長時間に渡って打ち返し練習が可能となる卓球練習機を得ることができる。
【図面の簡単な説明】
【００５０】
【図１】本発明に係る球体自動回収装置および卓球練習機の全体配置を示す概略説明図である。
【図２】本発明に係る球体貯留ボックスを示しており、（ａ）は吸い込み開始時に閉鎖扉が開状態から閉状態となるところを示す概略説明図であり、（ｂ）は吸引が維持され回収が続行されているところを示す概略説明図であり、（ｃ）はブロワーが停止されて閉鎖扉が開放されたところを示す概略説明図である。
【図３】閉鎖扉を備える球体排出口の拡大説明図である。
【図４】閉鎖扉が設けられる球体貯留ボックスの概略正面図である。
【符号の説明】
【００５１】
１  球体貯留ボックス
２  ブロワー（吸引部材）
３  吸気管
３０  吸気口
４  球体吸い込みパイプ
４０  球体吸い込み口
４１  開口部
５  受け箱
６  球体発射装置
１０  傾斜面
１１  底面部
１４  傾斜底面
２０  床面
２１  傾斜溝
２２  集合部
Ａ１  球体自動回収装置
Ａ２  卓球練習台
Ｂ  球体（ピンポン玉やボール等）
【図１】
2006102223.tif 000003
【図２】
2006102223.tif 000004
【図３】
2006102223.tif 000005
【図４】
2006102223.tif 000006